(57)【要約】【課題】袋状又は半袋状のホルダーをファイルに掛け止めるためのホルダー掛止タブを提供する。【解決手段】袋状又は半袋状のホルダー４ａをファイル９ａに掛け止めるためのホルダー掛止タブ１ａであって、水平辺２ａと垂直辺２ｂからなるＴ字形の平面材２と、この平面材２の裏面２ｃに塗布される接着剤と、平面材２の裏面をその対称軸３に沿って谷折りにして，水平辺２ａの貼り合わせ部分２ｅでホルダー４ａの外縁６ａを挟着保持し、垂直辺２ｂの貼り合わせ部分２ｅはホルダー４ａの外縁６ａに間隙を有して形成され、平面材２は、ホルダー４ａの外縁６ａに下向きＬ字形に突設されることを特徴とするホルダー掛止タブ１ａによる。【選択図】図４
2011183591.tif 000002
【特許請求の範囲】
【請求項１】
袋状又は半袋状のホルダーをファイルに掛け止めるためのホルダー掛止タブであって、
水平辺と垂直辺からなるＴ字形の平面材と、
この平面材の裏面に塗布される接着剤と、
前記平面材の裏面をその対称軸に沿って谷折りにして，前記水平辺の貼り合わせ部分で前記ホルダーの外縁を挟着保持し、
前記垂直辺の貼り合わせ部分は前記ホルダーの外縁に間隙を有して形成され、前記平面材は、前記ホルダーの外縁に下向きＬ字形に突設されることを特徴とするホルダー掛止タブ。
【請求項２】
袋状又は半袋状のホルダーをファイルに掛け止めるためのホルダー掛止タブであって、
水平辺と垂直辺からなる一対のＬ字形の平面材と、
この平面材の裏面に塗布される接着剤と、
前記一対の平面材の裏面をその水平辺と垂直辺でそれぞれ符合させ，前記水平辺の貼り合わせ部分で前記ホルダーの外縁を挟着保持し、
前記垂直辺の貼り合わせ部分は前記ホルダーの外縁に間隙を有して形成され、前記平面材は、前記ホルダーの外縁に下向きＬ字形に突設されることを特徴とするホルダー掛止タブ。
【請求項３】
袋状又は半袋状のホルダーをファイルに掛け止めるためのホルダー掛止タブであって、
水平辺と垂直辺からなるＬ字形の平面材と、
この平面材の水平辺の面の一部に塗布される接着剤と、
前記平面材の水平辺の面の一部を前記ホルダーの外縁に接着保持し、
前記垂直辺は前記ホルダーの外縁に間隙を有して形成され、前記平面材は、前記ホルダーの外縁に下向きＬ字形に突設されることを特徴とするホルダー掛止タブ。
【請求項４】
袋状又は半袋状に構成され，その外縁をファイルに掛け止めるためのホルダーであって、前記外縁に請求項１乃至請求項３のいずれか１項に記載のホルダー掛止タブを少なくとも１つ備えたことを特徴とするホルダー。
【請求項５】
袋状又は半袋状に構成され，その外縁をファイルに掛け止めるためのホルダーであって、
水平辺と垂直辺からなるＬ字形の平面材と、
前記ホルダーの外縁の面に塗布されて，前記平面材の貼付位置を特定するとともに，前記平面材の水平辺の一部を前記ホルダーの外縁の面に接着保持する接着剤と、前記垂直辺は前記ホルダーの外縁に間隙を有して配置され、前記平面材は、前記ホルダーの外縁に下向きＬ字形に突設されてホルダー掛止タブを形成することを特徴とするホルダー。
【請求項６】
袋状又は半袋状に構成され，その外縁に下向きＬ字形のホルダー掛止タブが突設されることを特徴とするホルダー。
【請求項７】
前記ホルダーは、その開口部の外縁に，前記ホルダー内の収容物の取り出しを容易にする少なくとも１つの切欠きを備えることを特徴とする請求項４乃至請求項６のいずれか１項に記載のホルダー。
【請求項８】
表表紙と裏表紙と背表紙を有して，少なくとも１つの請求項４乃至請求項７のいずれか１項に記載のホルダーを収容保持するためのファイルであって、
前記表表紙と裏表紙の間に，前記ホルダーを収容可能であるファイル本体と、
前記ファイルの背表紙に穿設され，前記下向きＬ字形のホルダー掛止タブの挿脱が可能な貫通孔とを有し、
前記下向きＬ字形のホルダー掛止タブが前記貫通孔の縁に掛止することにより，個々の前記ホルダーが着脱可能に収容保持されることを特徴とするファイル。
【請求項９】
表表紙と裏表紙を有して，少なくとも１つの請求項４乃至請求項７のいずれか１項に記載のホルダーを収容保持するためのファイルであって、
前記表表紙と裏表紙の間に，前記ホルダーを収容可能であるファイル本体と、
前記表表紙と裏表紙の折り返し部に穿設され，前記下向きＬ字形のホルダー掛止タブの挿脱が可能な貫通孔とを有し、
前記下向きＬ字形のホルダー掛止タブが前記貫通孔の縁に掛止することにより，個々の前記ホルダーが着脱可能に収容保持されることを特徴とするファイル。
【発明の詳細な説明】
【技術分野】
【０００１】
本発明は、袋状又は半袋状のホルダーをファイルに掛け止めるためのホルダー掛止タブ、および、それを備えたホルダー、および、外縁に下向きＬ字形のホルダー掛止タブが突設されたホルダー、および、これらのホルダーを収容保持するためのファイルに関する。
【背景技術】
【０００２】
従来、書類等の資料を収容した半袋状のホルダーを複数まとめて持ち歩いたりする場合、ホルダーの開口部から書類がこぼれ落ち易く極めて不便であった。
このような場合、複数の袋状のホルダーが一体となったファイルに書類を収容するという手段もあるが、袋状のホルダーは半袋状のホルダーに比べて、収容できる書類の量が少ないので、関連のある一連の資料や書類等を一つのホルダーにまとめて収容することができず、適切な分類や管理ができない場合があった。
ここで、従来のファイルホルダーに関する技術について先行技術文献を参照しながら説明する。
【０００３】
特許文献１には「インデックスタブ付きファイルホルダー及びこのインデックスタブ付きファイルホルダーに用いられるファイルホルダー並びに表示用紙」という名称で、紙ファイルを挟んで保持する薄型のファイルホルダー(通常クリアホルダーと称されているもの)の改良に関する発明が開示されている。
特許文献１に開示される発明であるインデックスタブ付きファイルホルダーは、ファイルすべき紙（紙ファイル）を挟んで保持する薄型ホルダー本体から成るファイルホルダーにおいて、ホルダー本体の閉じられた辺に設けられた少なくとも１つの窓と、窓から導出するインデックスタブ部分を有するインデックスタブ付き表示用紙とから成っていることを特徴とするものである。
上述のような特許文献１に開示される発明によれば、用紙やホルダー自体にラベルを貼り付けることなく、表題等を容易に表示することができる。
【０００４】
特許文献２には「綴込ファイル」という名称で、綴込ファイル、特にファイル表紙の背表紙に綴じ具を取り付けてなり、各種の書類を綴じ込んで保管する綴込ファイルに関する発明が開示されている。
特許文献２に開示される発明は、文献中の符号をそのまま用いて説明すると、ファイル表紙１の背表紙１３に綴じ具２を取付ける綴込ファイルであって、ファイル表紙１の背表紙１３に所定の距離間隔を存して２個の係合孔１６，１７を相対して設けると共に、綴じ具２の底板２１を背表紙１３に取り付ける取付け手段４を設ける。前記取付け手段４の所定部を前記両係合孔１６，１７に係脱自在に係合して綴じ具２の底板２１を背表紙１３に固定するように構成されるものである。
上述のような特許文献２に開示される発明によれば、ファイル表紙と綴じ具を分別して廃棄することができると共に両者を再利用ないし再生利用することができる。
【０００５】
特許文献３には「ハンガーファイル」という名称で、小冊子等の整理収納に用いる取り扱いに便利なファイルの構造に関する考案が開示されている。
特許文献３に開示されるハンガーファイルは、文献中に記載される符号をそのまま用いて説明すると、長方形の相対する１対の側板３、３、若しくはさらに、両側板の一側縁若しくは下縁にそれぞれ接続した接続板４を加えた外枠２の、両側板の間に両端又は一端をそれぞれに固着した細い丸棒５を架け渡し、該丸棒に、収納する小冊子に取り外し自在に挟み込まれる、又は直接取り付ける適宜のハンガーを複数個取り外し自在に吊り下げて成ることを特徴とするものである。
上述のような特許文献３に開示される考案によれば、多数の資料の収納のために全部を一体にとじる必要がなく、個別に吊り下げることにより特定の資料が必要となったときは、他の資料とは関係なくそれのみを取り出すことができ、戻す動作も簡単に済む。従って、従来のファイルと比較して、取り扱いが格段に容易で業務処理の能率化に資するところが極めて大きい。また、資料をとじることがないから、とじ穴により資料を傷つけることもなく、さらに、必要な資料のみを取り出すから利用にも便利、かつ、嵩張ることもなく持ち運びも容易で、特に、従来のファイルのように、他の資料をも同時に外すことがないから、他の資料を紛失するおそれが全くないというメリットを有する。
【先行技術文献】
【特許文献】
【０００６】
【特許文献１】特開２００９−２２６５９１号公報
【特許文献２】特開２０００−１５３６８８号公報
【特許文献３】実開平７−１５３７２号公報
【発明の概要】
【発明が解決しようとする課題】
【０００７】
しかしながら、特許文献１に開示される発明においては、文献中に記載される符号をそのまま用いて説明すると、ホルダー本体２０の閉じられた辺に設けられた窓３０と窓３０の間に突起が形成されているとみなすこともできるが、この突起状部分は、例えば、表表紙と背表紙と裏表紙とからなるファイルの背表紙に貫通孔を形成した場合その貫通孔にホルダー本体２０を、着脱可能に掛止させるという機能は有していないので、沢山の資料や書類等を収容したファイルホルダー１０をまとめて持ち運ぶ際に、ファイルホルダー１０から資料や書類等がこぼれ落ちるのを防止することが難しかった。
【０００８】
また、特許文献２に開示される発明においては、綴じ具２をファイル表紙１の背表紙１３に着脱可能に掛止することができるものの、例えば、綴じ具２に綴じられている複数の袋状のホルダーから目的とするホルダーを１つ取り出す場合には、綴じ具４から綴じ軸２８を備えた取り付け板２７を取外し、さらに、目的とするホルダー上に重なっている他のホルダーを取り除く作業を行う必要があり煩雑であった。
つまり、ファイル表紙１に複数の袋状のホルダーが収容保持される場合に、目的とする１つのホルダーのみを、綴じ具２を操作することなくファイル表紙１から取外すことはできなかった。
【０００９】
さらに、特許文献３に開示される考案を参照することによれば、複数の袋状のホルダーを束ねたものにハンガー１を取り付けた形態として利用することも可能である。この場合、例えば、上述の特許文献２に開示される発明と，特許文献３に開示される考案の技術内容を比較すると、目的とする１つのホルダーを外枠２から取り出す場合に、特許文献２に開示されるような綴じ具４を操作する必要がないので、ホルダーの取扱いが容易になるというメリットがある。
しかしながら、複数の袋状のホルダーの外縁を束ねて一体に固定した場合、個々の袋状のホルダー内に多くの資料や書類等を収容しようとすると、隣接するホルダーの厚みが邪魔になって、収容できる資料や書類等の量が制限されてしまうという不具合があった。
この場合、関連のある一連の資料や書類等を一つのホルダーにまとめて収容することができず、適切な分類や管理ができないという課題があった。
【００１０】
本発明はかかる従来の事情に対処してなされたものであり、表表紙と背表紙と裏表紙とからなるファイルから、又は、表表紙と裏表紙とからなるファイルから、袋状又は半袋状のホルダーを、綴じ具等の操作を何ら行うことなく，個別に着脱可能とするためのホルダー掛止タブ、および、それを備えたホルダー、および、ホルダー掛止タブとして機能するＬ字形の突起を備えたホルダー，および，これらのホルダーを個別に着脱可能に収容保持するためのファイルを提供することにある。
【課題を解決するための手段】
【００１１】
上記目的を達成するため請求項１記載の発明であるホルダー掛止タブは、袋状又は半袋状のホルダーをファイルに掛け止めるためのホルダー掛止タブであって、水平辺と垂直辺からなるＴ字形の平面材と、この平面材の裏面に塗布される接着剤と、平面材の裏面をその対称軸に沿って谷折りにして，水平辺の貼り合わせ部分でホルダーの外縁を挟着保持し、垂直辺の貼り合わせ部分はホルダーの外縁に間隙を有して形成され、平面材は、ホルダーの外縁に下向きＬ字形に突設されることを特徴とするものである。
上記構成の請求項１記載の発明において、Ｔ字形の平面材と接着剤は、その対称軸に沿って谷折りにして，水平辺の貼り合わせ部分でホルダーの外縁を挟着保持することでホルダーの外縁に下向きＬ字形に突設されるホルダー掛止タブを形成するという作用を有する。
そして、このホルダー掛止タブは、表表紙と裏表紙と背表紙を有するファイル本体，又は，表表紙と裏表紙とを有するファイル本体の、背表紙，又は，表表紙と裏表紙の間，に穿設され，ホルダー掛止タブを挿脱可能にする貫通孔の縁に掛止されることで、ファイル本体の中空部に請求項１記載のホルダー掛止タブを備えたホルダーを収容保持させるという作用を有する。
本願発明において、ホルダーの外縁とは、ホルダーの外周部分とその近傍を含む領域を指し示しており、ホルダーの内側（裏面側）と外側（表（おもて）面側）を含む概念である。
【００１２】
請求項２記載の発明であるホルダー掛止タブは、袋状又は半袋状のホルダーをファイルに掛け止めるためのホルダー掛止タブであって、水平辺と垂直辺からなる一対のＬ字形の平面材と、この平面材の裏面に塗布される接着剤と、一対の平面材の裏面をその水平辺と垂直辺でそれぞれ符合させ，水平辺の貼り合わせ部分でホルダーの外縁を挟着保持し、垂直辺の貼り合わせ部分はホルダーの外縁に間隙を有して形成され、平面材は、ホルダーの外縁に下向きＬ字形に突設されることを特徴とするものである。
上記構成の請求項２記載の発明において、一対のＬ字形の平面材と接着剤は、一対の平面材の裏面をその水平辺と垂直辺でそれぞれ符合させ，水平辺の貼り合わせ部分で、垂直辺の貼り合わせ部分とホルダー外縁との間に間隙を有しながらホルダーの外縁を挟着保持することで、ホルダーの外縁に下向きＬ字形に突設されるホルダー掛止タブを形成するという作用を有する。
そして、請求項２記載のホルダー掛止タブは、請求項１記載のホルダー掛止タブと同じ作用を有する。
【００１３】
請求項３記載の発明であるホルダー掛止タブは、袋状又は半袋状のホルダーをファイルに掛け止めるためのホルダー掛止タブであって、水平辺と垂直辺からなるＬ字形の平面材と、この平面材の水平辺の面の一部に塗布される接着剤と、平面材の水平辺の面の一部をホルダーの外縁に接着保持し、垂直辺はホルダーの外縁に間隙を有して形成され、平面材は、ホルダーの外縁に下向きＬ字形に突設されることを特徴とするものである。
上記構成の請求項３記載の発明は、請求項２記載の発明における一対のＬ字形の平面材に代えて、単数のＬ字形の平面材を用い、さらに、この平面材の水平辺の面の一部に塗布される接着剤によりホルダーに接着されるものである。
つまり、請求項１及び請求項２記載の発明においては、一つ又は１対の平面材でホルダーの外縁を挟持することで、ホルダー掛止タブをホルダーの外縁に下向きＬ字形に突設するのに対して、請求項３記載の発明では、ホルダーの外縁の面に平面材を単に貼設するだけでホルダー掛止タブを形成するものである。
従って、請求項３記載の発明において、平面材と接着剤は、ホルダーの外縁に下向きＬ字形に突設されるホルダー掛止タブを形成するという作用を有する。
そして、請求項３記載のホルダー掛止タブは、請求項１記載のホルダー掛止タブと同じ作用を有する。
【００１４】
請求項４記載の発明であるホルダーは、袋状又は半袋状に構成され，その外縁をファイルに掛け止めるためのホルダーであって、外縁に請求項１乃至請求項３のいずれか１項に記載のホルダー掛止タブを少なくとも１つ備えたことを特徴とするものである。
上記構成の発明においてホルダー掛止タブは、請求項１乃至請求項３に記載のそれぞれのホルダー掛止タブと同じ作用を有する。
さらに、このホルダー掛止タブを備えたホルダーは、表表紙と裏表紙と背表紙を有するファイル本体，又は，表表紙と裏表紙とを有するファイル本体の、背表紙，又は，表表紙と裏表紙の間，に穿設され，ホルダー掛止タブを挿脱可能にする貫通孔の縁に掛止されることで、ファイル本体の中空部に請求項４記載のホルダーを収容保持させるという作用を有する。
【００１５】
請求項５記載の発明であるホルダーは、袋状又は半袋状に構成され，その外縁をファイルに掛け止めるためのホルダーであって、水平辺と垂直辺からなるＬ字形の平面材と、ホルダーの外縁の面に塗布されて，平面材の貼付位置を特定するとともに，平面材の水平辺の面の一部をホルダーの外縁の面に接着保持する接着剤と、垂直辺はホルダーの外縁に間隙を有して配置され、平面材は、ホルダーの外縁に下向きＬ字形に突設されてホルダー掛止タブを形成することを特徴とするものでえある。
上記構成の請求項５記載の発明は、ホルダー掛止タブにおける接着剤を、平面材ではなくホルダーの外縁の面に塗布したものであり、請求項３記載のホルダー掛止タブと従来公知のホルダーの組合せ、すなわち、請求項４記載のホルダーと同じ作用を有する。
また、請求項５記載の発明では、接着剤を平面材にではなく、ホルダーの外縁の面に塗布することで、平面材をホルダーの外縁に貼設する際の位置決めを容易にするという作用を有する。
【００１６】
請求項６記載の発明であるホルダーは、袋状又は半袋状に構成され，その外縁に下向きＬ字形のホルダー掛止タブが突設されることを特徴とするものである。
上記構成の請求項６記載のホルダーにおいて、外縁に突設される下向きＬ字形のホルダー掛止タブは、請求項１記載のホルダー掛止タブと同じ作用を有する。
そして、請求項６記載のホルダーは、請求項４記載のホルダーと同じ作用を有する。
【００１７】
請求項７記載の発明であるホルダーは、請求項４乃至請求項６のいずれか１項に記載のホルダーであって、前記ホルダーは、その開口部の外縁に，ホルダー内の収容物の取り出しを容易にする少なくとも１つの切欠きを備えることを特徴とするものである。
上記構成の請求項７記載のホルダーは、請求項４乃至請求項６のそれぞれに記載の発明と同じ効果に加えて、切欠きは、ホルダー内に収容される収容物の一部を裸出させてその取り出しを容易にするという作用を有する。
【００１８】
請求項８記載の発明であるファイルは、表表紙と裏表紙と背表紙を有して，少なくとも１つの請求項４乃至請求項７のいずれか１項に記載のホルダーを収容保持するためのファイルであって、表表紙と裏表紙の間に，ホルダーを収容可能であるファイル本体と、ファイルの背表紙に穿設され，下向きＬ字形のホルダー掛止タブの挿脱が可能な貫通孔とを有し、下向きＬ字形のホルダー掛止タブが貫通孔の縁に掛止することにより，個々のホルダーが着脱可能に収容保持されることを特徴とするものである。
上記構成の請求項８記載の発明において、表表紙と裏表紙と背表紙を有するファイル本体は、その中空部に請求項４乃至請求項７のいずれか１項に記載のホルダーを収容保持するという作用を有する。
また、背表紙（表表紙と裏表紙の間）に形成される貫通孔は、請求項４乃至請求項７のそれぞれに記載されるホルダーの外縁に形成されるホルダー掛止タブの挿脱を可能にするとともに、この貫通孔の外縁にホルダー掛止タブを掛止させるという作用を有する。
【００１９】
請求項９記載の発明であるファイルは、表表紙と裏表紙を有して，少なくとも１つの請求項４乃至請求項７のいずれか１項に記載のホルダーを収容保持するためのファイルであって、表表紙と裏表紙の間に，ホルダーを収容可能であるファイル本体と、表表紙と裏表紙の折り返し部に穿設され，下向きＬ字形のホルダー掛止タブの挿脱が可能な貫通孔とを有し、下向きＬ字形のホルダー掛止タブが貫通孔の縁に掛止することにより，個々のホルダーが着脱可能に収容保持されることを特徴とするものである。
上記構成の請求項９記載のファイルは、請求項８記載のファイル本体における背表紙がない構造となっている。このため、請求項９記載のファイルにおいては、表表紙と裏表紙の折り返し部に貫通孔が穿設されている。
このような請求項９記載のファイルは、請求項８記載のファイルと同じ作用を有する。
【発明の効果】
【００２０】
本発明の請求項１記載の発明によれば、従来公知の袋状又は半袋状ホルダーの外縁に下向きＬ字形に突設されるホルダー掛止タブを形成することができる。
そして、ホルダー掛止タブを備えた従来公知のホルダーは、表表紙と裏表紙と背表紙を有するファイル本体の背表紙に穿設され，ホルダー掛止タブを挿脱可能にする貫通孔の縁に掛止することができる。あるいは、表表紙と裏表紙を有するファイル本体の表表紙と裏表紙の折り返し部分に穿設され，ホルダー掛止タブを挿脱可能にする貫通孔の縁に掛止することができる。
この結果、従来公知のホルダーを、ファイル本体とは別に綴じ具や止め具を何ら設けることなしに、ファイル本体の中空部に収容保持させることができる。
また、ファイル本体の中空部に収容保持された，請求項１記載のホルダー掛止タブを備えた従来公知のホルダーを取り出す場合、個々のホルダーを個別にファイル本体から取り出したり、あるいは、収容保持させることができるという効果を有する。
従来公知のホルダーファイルの場合、ホルダーファイルから個別にホルダーを着脱させることができないか、あるいは、個別にホルダーを着脱させることができたとしても、綴じ具や止め具の開閉作業を都度行い（作業１）、取り出す必要のない複数のホルダーとともに目的とするホルダーを取り出し（作業２）、その中から目的とするホルダーを取り出し（作業３）、さらにその後に、取り出す必要がなかったホルダーを再びホルダーファイルに戻す作業を行う必要があった（作業４）。
これに対して、請求項１記載のホルダー掛止タブを従来公知のホルダーの外縁に備えた場合で、かつ、表表紙と裏表紙と背表紙からなるファイル本体の背表紙に貫通孔を備えたものを用いる場合、あるいは表表紙と裏表紙からなるファイル本体の折り返し部分に貫通孔を備えたものを用いる場合には、上述した作業のうちの作業３のみを行うだけでファイル本体から目的とするホルダーを取り出すことができるという効果を有する。
つまり、請求項１記載の発明によれば、複数のホルダーを保持収容したファイルから、目的とするホルダーのみを極めて容易に取り出すことができ、また、使用済みのホルダーについても極めて容易にファイルに収容保持させることができるという効果を有する。
さらに、請求項１に記載のホルダー掛止タブを用いることで、上記ファイルの中空部に個々のホルダーを個別に独立した状態で収容保持することができるので、個々のファイル内に収納される書類や資料等の量が多い場合でも、ホルダー自体の厚み方向への膨大を許容して、一つのホルダー内に一度に多くの書類や資料を収容することができる。
【００２１】
請求項２記載の発明は、請求項１記載のホルダー掛止タブとほぼ同じ形態のものを、一対のＬ字形の平面材及び接着剤により形成したものである。また、別の言葉で言い換えると、請求項２記載の発明は、請求項１記載のホルダー掛止タブの平面材をその対称軸に沿って切断して分割したものであるといえる。
このため、その効果は請求項１記載の発明と同じである。
【００２２】
請求項３記載の発明は、請求項１記載のホルダー掛止タブとほぼ同じ形態のものを、１つのＬ字形の平面材及び接着剤により形成したものである。つまり、別の言葉で言い換えると、請求項３記載の発明は、請求項２記載のホルダー掛止タブを構成するＬ字形の平面材を１つだけ用い、袋状又は半袋状のホルダーの外縁にそれを単に貼設するだけで請求項１又は請求項２記載のホルダー掛止タブと同じ機能を発揮させることができるよう構成されるものである。
このため、その効果は請求項１記載の発明と同じである。
【００２３】
請求項４記載の発明は、請求項１乃至請求項３のいずれか１項に記載のホルダー掛止タブを少なくとも１つ備えたホルダーであり、その効果は請求項１記載の発明における従来公知のホルダーに請求項１乃至請求項３のいずれか１項に記載のホルダー掛止タブを取設したものと同じである。
【００２４】
請求項５記載の発明は、ホルダー掛止タブのＬ字形の平面材に接着剤を塗布する代わりに、その接着剤をホルダーの外縁に予め塗布しておき、予め塗布された接着剤の位置に平面材を貼設するものである。このため、請求項５記載のホルダーの効果は、本願発明のホルダー掛止タブと従来公知のホルダーと組み合わせたものと同じである。
さらに、請求項５記載のホルダーによれば、ホルダーの外縁の面に接着剤が塗布されているので、Ｌ字形の平面材をホルダーに貼設する際の位置決めが極めて容易かつ正確である。
この結果、請求項５記載のホルダーを複数作成する際に、ホルダー掛止タブの取り付け位置をほぼ同じ位置に揃えることができるので、請求項８又は請求項９記載のファイルに請求項５記載のホルダーを収容保持した際の外観上の審美性を高めることができる。
【００２５】
請求項６記載の発明は、請求項１乃至請求項３のいずれか１項に記載のホルダー掛止タブと同じ機能を有するものがホルダーの外縁に一体に設けられたものであり、その効果は請求項１記載の発明における従来公知のホルダーに請求項１乃至請求項３のいずれか１項に記載のホルダー掛止タブを取設したものと同じである。
【００２６】
請求項８又は請求項９記載の発明は、少なくとも１つの請求項３乃至請求項４のいずれか１項に記載のホルダーを収容保持するためのファイルであり、その効果は請求項１に記載されるファイルと同じである。
【図面の簡単な説明】
【００２７】
【図１】（ａ）は本発明の実施例１に係るホルダー掛止タブの概念図であり、（ｂ）本発明の実施例１に係るホルダー掛止タブの展開図である。
【図２】本発明の実施例１に係るホルダー掛止タブの使用状態の一例を示す概念図である。
【図３】本発明の実施例１に係るホルダー掛止タブの使用状態の他の例を示す概念図である。
【図４】本発明の実施例１に係るファイル内に収容保持された状態を示す概念図である。
【図５】（ａ）〜（ｃ）はいずれも本発明の実施例１に係るホルダーがファイル内に収容保持された状態を示す概念図である。
【図６】本発明の実施例１に係るファイルの変形例を示す概念図である。
【図７】本発明の実施例２に係るホルダー掛止タブの概念図である。
【図８】（ａ）は本発明の実施例３に係るホルダー掛止タブを正面側から見た概念図であり、（ｂ）はその裏面側から見た概念図である。
【図９】本発明の実施例３に係るホルダー掛止タブの使用状態の一例を示す概念図である。
【図１０】本発明の実施例４に係るホルダーの概念図である。
【図１１】本発明の実施例５に係るホルダーの概念図である。
【発明を実施するための形態】
【００２８】
以下に、本発明の実施の形態に係るホルダー掛止タブおよびホルダーおよびファイルについて実施例１乃至５を参照しながら詳細に説明する。
【実施例１】
【００２９】
図１乃至図４を参照しながら本発明の実施例１に係るホルダー掛止タブについて説明する。
図１（ａ）は本発明の実施例１に係るホルダー掛止タブの概念図であり、（ｂ）本発明の実施例１に係るホルダー掛止タブの展開図である。
図２は本発明の実施例１に係るホルダー掛止タブの使用状態の一例を示す概念図であり、図３は本発明の実施例１に係るホルダー掛止タブの使用状態の他の例を示す概念図である。
実施例１に係るホルダー掛止タブ１ａは、図２又は図３に示すような、ホルダー本体４ａやホルダー本体４ｂの外縁６ａや外縁６ｂに少なくとも１つ取設されるものであり、図１（ｂ）に示すように、水平辺２ａと垂直辺２ｂとからなるＴ字形の平面材２と、この平面材２の裏面である塗布面２ｃに塗布される図示しない接着剤により構成されている。
そして、このような平面材２の塗布面２ｃをその対称軸３に沿って図１（ａ）に示すように谷折りにし、水平辺２ａの端部２ｄ近傍における貼り合わせ面２ｅにおいて、図２や図３に示すようにホルダー本体４ａやホルダー本体４ｂの外縁６ａや外縁６ｂを挟持保持しながら、平面材２の塗布面２ｃを重ねて貼り合わせて一体にすることで、ホルダー本体４ａやホルダー本体４ｂの外縁６ａや外縁６ｂに下向きＬ字形のホルダー掛止タブ１ａを形成することができる。
なお、実施例１に係るホルダー掛止タブ１ａの平面材２の塗布面２ｃに塗布される接着剤は、接着力の強いものや弱いものを含む概念である。つまり、接着力の強い接着剤を用いた場合には、ホルダー本体４ａやホルダー本体４ｂからのホルダー掛止タブ１ａの落脱を防止することができ、また、接着力の弱い接着剤を用いた場合には、不必要になったホルダー掛止タブ１ａをホルダー本体４ａやホルダー本体４ｂからスムースに取外すことができるという効果を有する。
なお、本実施例において図２や図３に示すホルダー本体４ａ，４ｂの外縁６ａ，６ｂとは、ホルダー本体４ａ，４ｂの外周部分とその近傍を含む領域を指し示している。また、特に図３に示すホルダー本体４ｂにおける外縁６ｂとは、ホルダー本体４ｂにおける開口部５ｂが形成される部分の，外周部分とその近傍を含む領域を指し示すものであり、この場合、ホルダー本体４ｂの内側（裏面側）と外側（表（おもて）面側）の区別はせず、いずれも含む概念である。なお、このようなホルダー本体４ａ，４ｂの外縁６ａ，６ｂ定義については、以下に示す他の実施例においても同様である。
【００３０】
そして、上述のような下向きＬ字形のホルダー掛止タブ１ａが、例えば図２に示すような、開口部５ａを有する袋状のホルダー本体４ａにおける折り返し部分である外縁６ａに少なくとも１つ設けられたものがホルダー７aである。
また、上述のようなホルダー掛止タブ１ａが、図３に示すような、上方とそれに続く側面に開口部５ｂを有するような半袋状のホルダー本体４ｂの、開口部５ｂが形成される側に形成される一対の外縁６ｂ,６ｂのそれぞれに、取り付け位置を変えながら１つずつ設けられたものがホルダー７ｂである。
なお、実施例１に係るホルダー７a,７ｂにおいては、少なくとも１つのホルダー掛止タブ１ａを備えることで、後述のような効果を発揮させることは十分に可能であるが、ホルダー掛止タブ１ａを２つ設けた場合の方がその機能はより安定したものになる。また、ホルダー本体４ａやホルダー本体４ｂの外縁６ａや外縁６ｂにホルダー掛止タブ１ａを３つ以上設けることも可能であるが、ホルダー７aやホルダー７ｂの使用時の着脱がやや煩雑になるので、ホルダー掛止タブ１ａを数多く設ける必要はない。
そして、図２及び図３に示されるような実施例１に係るホルダー掛止タブ１ａを備えたホルダー７a,７ｂは、ホルダー本体４ａ,４ｂの中空部内に書類や資料等を収容保持することが可能である。
なお、図２や図３に示すように、実施例１に係るホルダー７a,７ｂの開口部５ａ，５ｂの外縁に切欠き部２１を形成しておいてもよい。
この場合、ホルダー本体４ａやホルダー本体４ｂ内に収容される書類や資料の一部を、切欠き部２１において裸出させておくことができるので、その取り出しを容易にすることができる。また、以下に示す他の実施例に係るホルダーのホルダー本体に上述のような切欠き部２１を設けてもよい。
【００３１】
次に、図４及び図５を参照しながら実施例１に係るファイル及びそれに収容保持されるホルダーの着脱方法について説明する。
図４は本発明の実施例１に係るファイル内に収容保持された状態を示す概念図である。また、図５（ａ）〜（ｃ）はいずれも本発明の実施例１に係るホルダーがファイル内に収容保持された状態を示す概念図である。なお、図１乃至図３に記載されたものと同一部分については同一符号を付し、その構成についての説明は省略する。
図４に示すように、実施例１に係るファイル９ａは、表表紙１０ａと背表紙１０ｂと裏表紙１０ｃとからなるファイル本体１０ｘの背表紙１０ｂに、上述の実施例１に係るホルダー７a,７ｂに設けられるホルダー掛止タブ１ａの挿脱を可能にするための貫通孔１１が穿設されたものである。
このようなファイル９ａの背表紙１０ｂに穿設された貫通孔１１に、ホルダー７a,７ｂの外縁に下向きＬ字形に突設されるホルダー掛止タブ１ａを掛止めすることにより、ファイル９の中空部内にホルダー７aやホルダー７ｂを収容保持することが可能である。
この場合、ホルダー７a，７ｂ自体の荷重、及び、これらの中に収容される書類や資料等の荷重をホルダー掛止タブ１ａのみで支える必要があるので、ホルダー掛止タブ１ａを構成する平面材２は、どのような材質により構成してもよいが、ホルダー７a，７ｂを書類や資料等とともにファイル９ａに収容保持して持ち運ぶ際に、ホルダー掛止タブ１ａが裂けたり破損することがないよう十分な形状保持性を有するものにしておく必要がある。
【００３２】
ここで実施例１に係るホルダー掛止タブ１ａの装着方法について図５を参照しながら説明する。図５（ａ）〜（ｂ）はいずれも図４中の符号Ａ−Ａ線矢視断面図である。
上述のような実施例１に係るファイル９ａにホルダー７a,７ｂを装着するには、まず、図５（ａ）に示すように、ファイル９ａの内側において、例えば、ホルダー７aのホルダー掛止タブ１ａと、ファイル９ａの背表紙１０ｂに穿設される貫通孔１１とが互いに対峙するようにホルダー７aを配置してから、図５（ｂ）に示すように、ホルダー７aのホルダー掛止タブ１ａを、背表紙１０ｂに形成される貫通孔１１に挿通させ、この後、ホルダー７aを鉛直下方に下ろして下向きＬ字形に突設されるホルダー掛止タブ１ａを貫通孔１１の縁１１ａに掛止めすればよい。
また、実施例１に係るファイル９ａから、ホルダー７aを取外す際には、図５（ａ）〜（ｃ）に示す手順の逆を行なえばよい。
【００３３】
このような実施例１に係るファイル９ａを用いることによれば、実施例１に係るホルダー掛止タブ１ａを備えたホルダー７aやホルダー７ｂを、個別にファイル９から着脱することができる。
つまり、実施例１に係るファイル９ａによれば、ホルダー７aやホルダー７ｂを着脱させるために、ファイル９ａと別体の綴じ具や止め具を設ける必要が一切ない上、それらを操作する必要も全くない。この場合、ファイル本体１０ｘを例えば、紙や合成樹脂等の単一の材質から構成することができるので、廃棄する際の分別回収が極めて容易になる。
しかも、実施例１に係るファイル９ａを用いた場合、個々のホルダー７aやホルダー７ｂは独立した状態でファイル９ａに収容保持されるので、個々のホルダー７aやホルダー７ｂ内に多量の書類や資料等が収容された場合に、その厚み方向への膨大を許容することができる。このため、個々のホルダー７aやホルダー７ｂに多量の書類や資料等を一度に収容することが可能になる。
従って、実施例１に係るファイル９ａによれば、関連する書類や資料等の量が覆い場合でも、複数のホルダーに分割して収容する必要がないので、様々な種類の書類や資料をひとまとめにして収容することができる。
しかも、特にホルダー７ｂをファイル９ａに収容した場合、ホルダー本体４ｂの側面に形成される開口部５ｂと、ファイル９ａの背表紙１０ｂが対向した状態になるので、ホルダー７ｂの収容物が外にこぼれ落ちるのを確実に防止することができる。
これにより、ホルダー７aやホルダー７ｂをファイル９ａに収容した場合にその持ち運びも容易にすることができる。
そして、実施例１に係るホルダー掛止タブ１ａを用いることで、従来公知のホルダー本体４ａやホルダー本体４ｂを、実施例１に係るファイル９ａに使用可能なホルダー７aやホルダー７ｂとすることができる。このため、従来公知の袋状又は半袋状のホルダーの汎用性を高めることができるという効果を有する。
【００３４】
ここで、図６を参照しながら実施例１に係るファイルの変形例について説明する。図６は本発明の実施例１に係るファイルの変形例を示す概念図である。なお、図１乃至図５に記載されたものと同一部分については同一符号を付し、その構成についての説明は省略する。
先の実施例１に係るファイル９ａとして、表表紙１０ａと背表紙１０ｂと裏表紙１０ｃとからなるファイル本体１０ｘの背表紙１０ｂに、ホルダー掛止タブ１ａの挿脱を可能にするための貫通孔１１が穿設されたものを用いたが、これより薄いタイプのファイル本体１０ｙを用いることも可能である。より具体的には、表表紙１０ａと裏表紙１０ｂとからなるファイル本体１０ｙの折り返し部１０ｄに、ホルダー掛止タブ１ａの挿脱を可能にするための貫通孔１１（スリット）が穿設されたものを用いてもよい。このようなファイル９ｂを用いた場合には収容可能なホルダー数が背表紙１０ｂを有するファイル９ａよりも少なくなるが、薄型となって持ち運びには便利である。
【実施例２】
【００３５】
本発明の実施例２に係るホルダー掛止タブについて図７を参照しながら説明する。
図７は本発明の実施例２に係るホルダー掛止タブの概念図である。なお、図１乃至図６に記載されたものと同一部分については同一符号を付し、その構成についての説明は省略する。
実施例２に係るホルダー掛止タブ１ｂは、簡単に説明すると、図１に示す実施例１に係るホルダー掛止タブ１ａの平面材２を、対称軸３において切り分けて分割したものである。
より具体的には、実施例２に係るホルダー掛止タブ１ｂは、水平辺１２ａと垂直辺１２ｂとからなる一対のＬ字形の平面材１２と、この一対の平面材１２の対向するそれぞれの面である塗布面１２ｃに塗布される接着剤からなるものである。
このようなホルダー掛止タブ１ｂは、一対の平面材１２の塗布面１２ｃの水平辺１２ａと塗布面１２ｃとを符合させながら貼り合わされ、このとき、水平辺１２ａの端部１２ｄ近傍における貼り合わせ部分１２ｅにおいて、図２や図３に示すホルダー本体４ａ，４ｂの外縁６ａ，６ｂを挟持保持することで、ホルダー本体４ａやホルダー本体４ｂの外縁に下向きＬ字形に突設される。
なお、実施例２に係るホルダー掛止タブ１ｂの平面材１２の塗布面１２ｃに塗布される接着剤は、実施例１に係る平面材２の塗布面２ｃに塗布される接着剤と同じである。
このような実施例２に係るホルダー掛止タブ１ｂは、実施例１に係るホルダー掛止タブ１ａと同じ効果を有する。
また、実施例２に係るホルダー掛止タブ１ｂを、図２や図３に示すホルダー本体４ａ，４ｂの外縁６ａ，６ｂに取り付けることで、図２や図３に示すホルダー７a，７ｂと同じ形態のホルダーを提供することができる。
また、実施例２に係るホルダー掛止タブ１ｂを備えたホルダーを収容保持するためのファイルは、図４又は図６に記載のファイル９ａやファイル９ｂと同じであるため、ここではその構成、作用、効果についての詳細な説明は省略する。
【実施例３】
【００３６】
本発明の実施例３に係るホルダー掛止タブについて図８を参照しながら説明する。
図８（ａ）は本発明の実施例３に係るホルダー掛止タブを正面側から見た概念図であり、（ｂ）はその裏面側から見た概念図である。また、図９は本発明の実施例３に係るホルダー掛止タブの使用状態の一例を示す概念図である。なお、図１乃至図７に記載されたものと同一部分については同一符号を付し、その構成についての説明は省略する。
実施例３に係るホルダー掛止タブ１ｃは、簡単に説明すると、図７に示す実施例２に係るホルダー掛止タブ１ｂを構成するＬ字型の平面材１２を１対ではなく１つのみ用い、それをホルダー本体４ａやホルダー本体４ｂの外縁６ｂの面に貼設可能としたものである。なお、この場合、ホルダー本体４ａやホルダー本体４ｂの外縁６ｂの面とは、ホルダー本体４ａやホルダー本体４ｂの，内側（裏面側）と外側（表面側）の区別はせず、いずれも含む概念である。
より具体的には、実施例３に係るホルダー掛止タブ１ｃは、水平辺１８ａと垂直辺１８ｂとからなるＬ字形の平面材１８と、この平面体１８における水平片１８ａの端部１８ｄ近傍の面に設けられる接着剤１９の塗布面１８ｃと、この塗布面１８ｃに塗布される接着剤１９により構成されるものである。
なお、実施例３に係る平面体１８の塗布面１８ｃに塗布される接着剤は、上述の実施例１に係るホルダー掛止タブ１ａに用いられる接着剤と同じものを用いることができる。また、ホルダー掛止タブ１ｃの水平片１８ａの端部１８ｄ近傍の面においても、表裏いずれかの面を区別するものではなく、いずれも含む概念である。
このようなホルダー掛止タブ１ｃは、先の図２や図３に示すような袋状又は半袋状のホルダー本体４ａ，４ｂの外縁６ａ，６ｂの面に、実施例３に係るホルダー掛止タブ１ｃを貼設することで、その外縁６ａ，６ｂに下向きＬ字形のホルダー掛止タブを形成することができる。
【００３７】
そして、例えば、図３に示すような半袋状のホルダー本体４ｂに、図８に示すホルダー掛止タブ１ｃを貼設した状態の一例を示したものが図９であり、これが実施例３に係るホルダー７ｃである。
図９に示すように、実施例３に係るホルダー７ｃは、ホルダー本体４ｂの開口部５ｂが形成される一対の外縁６ｂのそれぞれに、互いにその取り付け位置を変えながら、例えば、ホルダー掛止タブ１ｃを２つ貼設してもよい。
あるいは、特に図示しないが、ホルダー本体４ｂの開口部５ｂが形成される一対の外縁６ｂのそれぞれに対を成すように、かつ、その取り付け位置を変えながら、例えば、４つのホルダー掛止タブ１ｃを貼設してもよい。
このような実施例３に係るホルダー掛止タブ１ｃは、実施例１に係るホルダー掛止タブ１ａと同じ効果を有する。
また、実施例３に係るホルダー掛止タブ１ｃを備えたホルダーを収容保持するためのファイルは、図４又は図６に記載のファイル９ａやファイル９ｂと同じであるため、ここではその構成、作用、効果についての詳細な説明は省略する。
【実施例４】
【００３８】
実施例４に係るホルダーについて図１０を参照しながら説明する。
図１０は本発明の実施例４に係るホルダーの概念図である。なお、図１乃至図９に記載されたものと同一部分については同一符号を付し、その構成についての説明は省略する。
図１０に示すように、実施例４に係るホルダー２０は、例えば、図３に示すような、その上部と一方の側面に連続した開口部５ｂを有するホルダー本体４ｂと、このホルダー本体４ｂの外縁６ｂに貼設されて，下向きＬ字形のホルダー掛止タブを形成する平面体１８とにより構成されるものであり、特に、ホルダー本体４ｂの外縁６ｂに、平面体１８の端部１８ｄ近傍を接着保持させるための接着剤を塗布した点に特徴を有するものである。
このような実施例４に係るホルダー２０は、ホルダー本体４ｂの外縁６ｂに平面体１８を貼設するための接着剤１９は、平面体１８の面ではなくホルダー本体４ｂの外縁６ｂの面に塗布されたものであるので、ホルダー本体４ｂに平面体１８を貼設した状態のものは、図９に示すホルダー７ｃと同一である。
なお、図３に示すホルダー本体４ｂに代えて、図２に示すホルダー本体４ａを用いてもよい。
また、実施例４に係るホルダー２０において、接着剤１９の塗布位置であるホルダー本体４ａやホルダー本体４ｂの外縁６ｂの面とは、ホルダー本体４ａやホルダー本体４ｂの，内側（裏面側）と外側（表面側）の区別はせず、いずれも含む概念である。
【００３９】
このような実施例４に係るホルダー２０は、上述の実施例１乃至３に記載のホルダー掛止タブ１ａ〜１ｃを従来公知のホルダー本体４ａやホルダー本体４ｂに貼設してなるホルダー７a〜７ｃと同じ効果を有する。
また、実施例４に係るホルダー掛止タブ１ｃを備えたホルダーを収容保持するためのファイルは、図４又は図６に記載のファイル９ａやファイル９ｂと同じであるため、ここではその構成、作用、効果についての詳細な説明は省略する。
さらに、実施例４に係るホルダー２０の場合、平面体１８を貼り付けるための接着剤１９がホルダー本体４ｂの外縁６ｂの面に予め塗布されているため、平面体１８を貼設する際にその取り付け位置を常に特定することができる。
この場合、複数のホルダー２０を作製する場合に、平面体１８のホルダー本体４ｂにおける貼り付け位置を揃えることができるので、平面体１８の貼付け時のミスを防止することができる。
すなわち、ホルダー本体４ａやホルダー本体４ｂに平面体１８を貼り付けて、ホルダー２０とした場合に、その取り付け位置が不適切でファイル９ａやファイル９ｂの貫通孔１１に、ホルダー掛止タブ１ｃを挿通させることができないといった不具合や、ホルダー掛止タブ１ｃの貼り直しにかかる手間を省くことができる。
しかも、図４又は図６に記載のファイル９ａやファイル９ｂにホルダー２０を収納保持した際に、貫通孔１１から裸出するホルダー掛止タブ１ｃの水平面上における高さ（レベル）を揃えることができるので、ファイル９ａやファイル９ｂの外観上の審美性を高めることができる。
【００４０】
なお、上述の実施例１乃至３に係るホルダー掛止タブ１ａ〜１ｃにおいても、平面材２，１２，１８をホルダー本体４ａ又はホルダー本体４ｂの外縁に貼設するための接着剤を、平面材２２，１２，１８の塗布面２ｃ，１２ｃ，１８ｃに塗布する代わりに、ホルダー本体４ａ又はホルダー本体４ｂの外縁６ａや外縁６ｂの面に予め塗布しておくことで、ホルダー本体４ａ又はホルダー本体４ｂにおけるホルダー掛止タブ１ａ〜１ｃの貼設位置を特定することが可能となる。
この場合、上記ホルダー２０と同じの効果を発揮させることができる。
【実施例５】
【００４１】
本発明の実施例５に係るホルダーについて図１１を参照しながら説明する。
図１１は本発明の実施例５に係るホルダーの概念図である。なお、図１乃至図１０に記載されたものと同一部分については同一符号を付し、その構成についての説明は省略する。
図１１に示すように、実施例５に係るホルダー１３は、例えば、その上部と一方の側面に、連続した開口部１５を有するホルダー本体１４の開口部１５が形成される側の外縁１６に下向きＬ字形のホルダー掛止タブ１７が突設されたものである。
すなわち、実施例１に係るホルダー７a又はホルダー７ｂを構成するホルダー掛止タブ１ａと、ホルダー本体４ａ又はホルダー本体４ｂとが、実施例５に係るホルダー１３では同じ材質で一体に作られたものである。
なお、図１１に示す実施例３に係るホルダー１３では、開口部１５が形成される側の外縁１６，１６に一対のホルダー掛止タブ１７が設けられた場合を例に挙げて説明しているが、先の図３に示すホルダー７ｂのように、ホルダー掛止タブ１７を、ホルダー本体１４の開口部１５が形成される外縁１６，１６のどちらか一方にのみ設けてもよい。
あるいは、先の図３に示すホルダー７aのように、袋状のホルダー本体４ａの外縁６ａに一体にホルダー掛止タブ１７を設けてもよい。
いずれの場合も、上述の実施例１に係るホルダー７aやホルダー７ｂと同じ効果を有する。
なお、実施例３に係るホルダー１３においては、ホルダー掛止タブ１７を十分な形状保持性を有する材質で構成しておく必要がある。
このような実施例３に係るホルダー１３は、実施例１に係るホルダー７aやホルダー７ｂと同様の効果を有する。また、実施例３に係るホルダー１３は、先の図４又は図６に示すファイル９ａやファイル９ｂに収容保持される。
【００４２】
なお、上述の実施例１乃至３に係るホルダー掛止タブ１ａ〜１ｃ、及び、これらと従来公知のホルダーを組み合わせたもの（ホルダー）、及び、実施例１乃至５に係るホルダーのホルダー掛止タブは、ファイル９ａ又はファイル９ｂに収容保持した際に、貫通孔１１から背表紙１０ｂ又は折り返し部１０ｄの外に裸出するので、この裸出部分に文字等を記載可能にすることにより、ホルダー掛止タブをインデックスとしても使用可能とすることができる。
なお、ホルダーの外縁に形成される下向きＬ字形のホルダー掛止タブを、インデックスとして使用可能にする手段としては、その材質自体に文字等を筆記具で直接記載可能としてもよいし、２つのホルダー掛止タブが対をなしていたり、重なり合って１つのホルダー掛止タブ構成する場合には、ホルダー掛止タブ自体を透明体又は半透明体により構成し、その内側や外側に文字等を直接記載可能にしたり、又は、シール等を貼付可能としたり、あるいは、袋状のホルダー掛止タブの内部に文字等を記載したカードを挿脱可能としてもよい。
この場合、ファイル９ａやファイル９ｂと実施例１乃至５のいずれかに記載のホルダーを単独で，あるいは、組み合わせて用いることで、収容する書類の多少に関わらず確実にホルダーを収納することができ、しかも、個々のホルダーの収納と取出しが極めて簡便であり、その中味についてもインデックスの機能を利用して容易に確認することができる。
この結果、書類や資料の分類整理に特に優れた文具を提供することができるという効果を有する。
【産業上の利用可能性】
【００４３】
以上説明したように本発明は、袋状又は半袋状のホルダーをファイルに掛け止めるためのホルダー掛止タブ、および、それを備えたホルダー、および、外縁に下向きＬ字形のホルダー掛止タブが突設されたホルダー、および、これらのホルダーを収容保持するためのファイルに関するものであり、文具や日用品に関する分野において利用可能である。
【符号の説明】
【００４４】
１ａ〜１ｃ…ホルダー掛止タブ  ２…平面材  ２ａ…水平辺  ２ｂ…垂直辺  ２ｃ…塗布面  ２ｄ…端部  ２ｅ…貼り合わせ部分  ３…対称軸  ４ａ…ホルダー本体  ４ｂ…ホルダー本体  ５ａ，５ｂ…開口部  ６ａ，６ｂ…外縁  ７ａ〜７ｃ…ホルダー  ９ａ，９ｂ…ファイル  １０ｘ，１０ｙ…ファイル本体（平面材）  １０ａ…表表紙  １０ｂ…背表紙  １０ｃ…裏表紙  １０ｄ…折り返し部  １１…貫通孔  １１ａ…縁  １２…平面材  １２ａ…水平辺  １２ｂ…垂直辺  １２ｃ…塗布面  １２ｄ…端部  １２ｅ…貼り合わせ部分  １３…ホルダー  １４…ホルダー本体  １５…開口部  １６…外縁  １７…ホルダー掛止タブ  １８…平面材  １８ａ…水平辺  １８ｂ…垂直辺  １８ｃ…塗布面  １８ｄ…端部  １９…接着剤  ２０…ホルダー  ２１…切欠き部
【図１】
2011183591.tif 000003
【図２】
2011183591.tif 000004
【図３】
2011183591.tif 000005
【図４】
2011183591.tif 000006
【図５】
2011183591.tif 000007
【図６】
2011183591.tif 000008
【図７】
2011183591.tif 000009
【図８】
2011183591.tif 000010
【図９】
2011183591.tif 000011
【図１０】
2011183591.tif 000012
【図１１】
2011183591.tif 000013
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
袋状又は半袋状のホルダーをファイルに掛け止める目的のためのみに使用するホルダー掛止タブであり，その他の目的のために使用しないホルダー掛止タブであって、
水平辺と垂直辺からなるＴ字形の平面材と、
この平面材の裏面に塗布される接着剤と、
前記平面材の裏面をその対称軸に沿って谷折りにして，前記水平辺の貼り合わせ部分で前記ホルダーの外縁を挟着保持し、
前記垂直辺の貼り合わせ部分は前記ホルダーの外縁に間隙を有して形成され、前記平面材は、前記ホルダーの外縁に下向きＬ字形に突設されることを特徴とするホルダー掛止タブ。
【請求項２】
袋状又は半袋状のホルダーをファイルに掛け止める目的のためのみに使用するホルダー掛止タブであり，その他の目的のために使用しないホルダー掛止タブであって、
水平辺と垂直辺からなる一対のＬ字形の平面材と、
この平面材の裏面に塗布される接着剤と、
前記一対の平面材の裏面をその水平辺と垂直辺でそれぞれ符合させ，前記水平辺の貼り合わせ部分で前記ホルダーの外縁を挟着保持し、
前記垂直辺の貼り合わせ部分は前記ホルダーの外縁に間隙を有して形成され、前記平面材は、前記ホルダーの外縁に下向きＬ字形に突設されることを特徴とするホルダー掛止タブ。
【請求項３】
袋状又は半袋状のホルダーをファイルに掛け止める目的のためのみに使用するホルダー掛止タブであり，その他の目的のために使用しないホルダー掛止タブであって、
水平辺と垂直辺からなるＬ字形の平面材と、
この平面材の水平辺の面の一部に塗布される接着剤と、
前記平面材の水平辺の面の一部を前記ホルダーの外縁に接着保持し、
前記垂直辺は前記ホルダーの外縁に間隙を有して形成され、前記平面材は、前記ホルダーの外縁に下向きＬ字形に突設されることを特徴とするホルダー掛止タブ。
【請求項４】
袋状又は半袋状に構成され，その外縁をファイルに掛け止めるためのホルダーであって、前記外縁に請求項１乃至請求項３のいずれか１項に記載のホルダー掛止タブを少なくとも１つ備え、
前記ホルダー掛止タブは、前記ホルダーの，前記ファイルの背表紙，又は，前記ファイルの折り返し部に対向する位置に配置される前記外縁に設けられ、
前記ファイルの背表紙，又は，前記ファイルの折り返し部に穿設される貫通孔に前記ホルダー掛止タブを挿通させて掛け止めした際に、前記貫通孔から導出される前記ホルダー掛止タブは、インデックスとして使用可能であることを特徴とするホルダー。
【請求項５】
袋状又は半袋状に構成され，その外縁をファイルに掛け止めるためのホルダーであって、
水平辺と垂直辺からなるＬ字形の平面材と、
前記ホルダーの外縁の面に塗布されて，前記平面材の貼付位置を特定するとともに，前記平面材の水平辺の一部を前記ホルダーの外縁の面に接着保持する接着剤と、前記垂直辺は前記ホルダーの外縁に間隙を有して配置され、前記平面材は、前記ホルダーの外縁に下向きＬ字形に突設されてホルダー掛止タブを形成し、
前記ホルダー掛止タブは、前記ホルダーをファイルに掛け止める目的のためのみに使用するホルダー掛止タブであり，その他の目的のために使用しないホルダー掛止タブであることを特徴とするホルダー。
【請求項６】
袋状又は半袋状に構成され，その外縁に下向きＬ字形のホルダー掛止タブが突設されたホルダーであって、
前記ホルダー掛止タブは、前記ホルダーをファイルに掛け止める目的のためのみに使用するホルダー掛止タブで，その他の目的のために使用しないホルダー掛止タブであり、
前記ホルダー掛止タブは、前記ファイルの背表紙，又は，前記ファイルの折り返し部に対向する前記外縁に突設され、
前記ファイルの背表紙，又は，前記ファイルの折り返し部に穿設される貫通孔に前記ホルダー掛止タブを挿通させて掛け止めした際に、前記貫通孔から導出される前記ホルダー掛止タブは、インデックスとして使用可能であることを特徴とするホルダー。
【請求項７】
前記ホルダーは、その開口部の外縁に，前記ホルダー内の収容物の取り出しを容易にする少なくとも１つの切欠きを備えることを特徴とする請求項４乃至請求項６のいずれか１項に記載のホルダー。
【請求項８】
表表紙と裏表紙と背表紙を有して，少なくとも１つの請求項４乃至請求項７のいずれか１項に記載のホルダーを収容保持するためのファイルであって、
前記表表紙と裏表紙の間に，前記ホルダーを収容可能であるファイル本体と、
前記ファイルの背表紙に穿設され，前記下向きＬ字形のホルダー掛止タブの挿脱が可能な貫通孔とを有し、
前記下向きＬ字形のホルダー掛止タブが前記貫通孔の縁に掛止することにより，個々の前記ホルダーが着脱可能に収容保持されることを特徴とするファイル。
【請求項９】
表表紙と裏表紙を有して，少なくとも１つの請求項４乃至請求項７のいずれか１項に記載のホルダーを収容保持するためのファイルであって、
前記表表紙と裏表紙の間に，前記ホルダーを収容可能であるファイル本体と、
前記表表紙と裏表紙の折り返し部に穿設され，前記下向きＬ字形のホルダー掛止タブの挿脱が可能な貫通孔とを有し、
前記下向きＬ字形のホルダー掛止タブが前記貫通孔の縁に掛止することにより，個々の前記ホルダーが着脱可能に収容保持されることを特徴とするファイル。
【手続補正２】
【補正対象書類名】明細書
【補正対象項目名】００１１
【補正方法】変更
【補正の内容】
【００１１】
上記目的を達成するため請求項１記載の発明であるホルダー掛止タブは、袋状又は半袋状のホルダーをファイルに掛け止める目的のためのみに使用するホルダー掛止タブであり，その他の目的のために使用しないホルダー掛止タブであって、水平辺と垂直辺からなるＴ字形の平面材と、この平面材の裏面に塗布される接着剤と、平面材の裏面をその対称軸に沿って谷折りにして，水平辺の貼り合わせ部分でホルダーの外縁を挟着保持し、垂直辺の貼り合わせ部分はホルダーの外縁に間隙を有して形成され、平面材は、ホルダーの外縁に下向きＬ字形に突設されることを特徴とするものである。
上記構成の請求項１記載の発明において、Ｔ字形の平面材と接着剤は、その対称軸に沿って谷折りにして，水平辺の貼り合わせ部分でホルダーの外縁を挟着保持することでホルダーの外縁に下向きＬ字形に突設されるホルダー掛止タブを形成するという作用を有する。
そして、このホルダー掛止タブは、表表紙と裏表紙と背表紙を有するファイル本体，又は，表表紙と裏表紙とを有するファイル本体の、背表紙，又は，表表紙と裏表紙の間，に穿設され，ホルダー掛止タブを挿脱可能にする貫通孔の縁に掛止されることで、ファイル本体の中空部に請求項１記載のホルダー掛止タブを備えたホルダーを収容保持させるという作用を有する。
本願発明において、ホルダーの外縁とは、ホルダーの外周部分とその近傍を含む領域を指し示しており、ホルダーの内側（裏面側）と外側（表（おもて）面側）を含む概念である。
【手続補正３】
【補正対象書類名】明細書
【補正対象項目名】００１２
【補正方法】変更
【補正の内容】
【００１２】
請求項２記載の発明であるホルダー掛止タブは、袋状又は半袋状のホルダーをファイルに掛け止める目的のためのみに使用するホルダー掛止タブであり，その他の目的のために使用しないホルダー掛止タブであって、水平辺と垂直辺からなる一対のＬ字形の平面材と、この平面材の裏面に塗布される接着剤と、一対の平面材の裏面をその水平辺と垂直辺でそれぞれ符合させ，水平辺の貼り合わせ部分でホルダーの外縁を挟着保持し、垂直辺の貼り合わせ部分はホルダーの外縁に間隙を有して形成され、平面材は、ホルダーの外縁に下向きＬ字形に突設されることを特徴とするものである。
上記構成の請求項２記載の発明において、一対のＬ字形の平面材と接着剤は、一対の平面材の裏面をその水平辺と垂直辺でそれぞれ符合させ，水平辺の貼り合わせ部分で、垂直辺の貼り合わせ部分とホルダー外縁との間に間隙を有しながらホルダーの外縁を挟着保持することで、ホルダーの外縁に下向きＬ字形に突設されるホルダー掛止タブを形成するという作用を有する。
そして、請求項２記載のホルダー掛止タブは、請求項１記載のホルダー掛止タブと同じ作用を有する。
【手続補正４】
【補正対象書類名】明細書
【補正対象項目名】００１３
【補正方法】変更
【補正の内容】
【００１３】
請求項３記載の発明であるホルダー掛止タブは、袋状又は半袋状のホルダーをファイルに掛け止める目的のためのみに使用するホルダー掛止タブであり，その他の目的のために使用しないホルダー掛止タブであって、水平辺と垂直辺からなるＬ字形の平面材と、この平面材の水平辺の面の一部に塗布される接着剤と、平面材の水平辺の面の一部をホルダーの外縁に接着保持し、垂直辺はホルダーの外縁に間隙を有して形成され、平面材は、ホルダーの外縁に下向きＬ字形に突設されることを特徴とするものである。
上記構成の請求項３記載の発明は、請求項２記載の発明における一対のＬ字形の平面材に代えて、単数のＬ字形の平面材を用い、さらに、この平面材の水平辺の面の一部に塗布される接着剤によりホルダーに接着されるものである。
つまり、請求項１及び請求項２記載の発明においては、一つ又は１対の平面材でホルダーの外縁を挟持することで、ホルダー掛止タブをホルダーの外縁に下向きＬ字形に突設するのに対して、請求項３記載の発明では、ホルダーの外縁の面に平面材を単に貼設するだけでホルダー掛止タブを形成するものである。
従って、請求項３記載の発明において、平面材と接着剤は、ホルダーの外縁に下向きＬ字形に突設されるホルダー掛止タブを形成するという作用を有する。
そして、請求項３記載のホルダー掛止タブは、請求項１記載のホルダー掛止タブと同じ作用を有する。
【手続補正５】
【補正対象書類名】明細書
【補正対象項目名】００１４
【補正方法】変更
【補正の内容】
【００１４】
請求項４記載の発明であるホルダーは、袋状又は半袋状に構成され，その外縁をファイルに掛け止めるためのホルダーであって、外縁に請求項１乃至請求項３のいずれか１項に記載のホルダー掛止タブを少なくとも１つ備え、ホルダー掛止タブは、ホルダーの，ファイルの背表紙，又は，ファイルの折り返し部に対向する位置に配置される外縁に設けられ、ファイルの背表紙，又は，ファイルの折り返し部に穿設される貫通孔にホルダー掛止タブを挿通させて掛け止めした際に、貫通孔から導出されるホルダー掛止タブは、インデックスとして使用可能であることを特徴とするものである。
上記構成の発明においてホルダー掛止タブは、請求項１乃至請求項３に記載のそれぞれのホルダー掛止タブと同じ作用を有する。
さらに、このホルダー掛止タブを備えたホルダーは、表表紙と裏表紙と背表紙を有するファイル本体，又は，表表紙と裏表紙とを有するファイル本体の、背表紙，又は，表表紙と裏表紙の間，に穿設され，ホルダー掛止タブを挿脱可能にする貫通孔の縁に掛止されることで、ファイル本体の中空部に請求項４記載のホルダーを収容保持させるという作用を有する。
【手続補正６】
【補正対象書類名】明細書
【補正対象項目名】００１５
【補正方法】変更
【補正の内容】
【００１５】
請求項５記載の発明であるホルダーは、袋状又は半袋状に構成され，その外縁をファイルに掛け止めるためのホルダーであって、水平辺と垂直辺からなるＬ字形の平面材と、ホルダーの外縁の面に塗布されて，平面材の貼付位置を特定するとともに，平面材の水平辺の一部をホルダーの外縁の面に接着保持する接着剤と、垂直辺はホルダーの外縁に間隙を有して配置され、平面材は、ホルダーの外縁に下向きＬ字形に突設されてホルダー掛止タブを形成し、ホルダー掛止タブは、ホルダーをファイルに掛け止める目的のためのみに使用するホルダー掛止タブであり，その他の目的のために使用しないホルダー掛止タブであることを特徴とするものである。
上記構成の請求項５記載の発明は、ホルダー掛止タブにおける接着剤を、平面材ではなくホルダーの外縁の面に塗布したものであり、請求項３記載のホルダー掛止タブと従来公知のホルダーの組合せ、すなわち、請求項４記載のホルダーと同じ作用を有する。
また、請求項５記載の発明では、接着剤を平面材にではなく、ホルダーの外縁の面に塗布することで、平面材をホルダーの外縁に貼設する際の位置決めを容易にするという作用を有する。
【手続補正７】
【補正対象書類名】明細書
【補正対象項目名】００１６
【補正方法】変更
【補正の内容】
【００１６】
請求項６記載の発明であるホルダーは、袋状又は半袋状に構成され，その外縁に下向きＬ字形のホルダー掛止タブが突設されたホルダーであって、ホルダー掛止タブは、ホルダーをファイルに掛け止める目的のためのみに使用するホルダー掛止タブで，その他の目的のために使用しないホルダー掛止タブであり、ホルダー掛止タブは、ファイルの背表紙，又は，ファイルの折り返し部に対向する外縁に突設され、ファイルの背表紙，又は，ファイルの折り返し部に穿設される貫通孔にホルダー掛止タブを挿通させて掛け止めした際に、貫通孔から導出されるホルダー掛止タブは、インデックスとして使用可能であることを特徴とするのである。
上記構成の請求項６記載のホルダーにおいて、外縁に突設される下向きＬ字形のホルダー掛止タブは、請求項１記載のホルダー掛止タブと同じ作用を有する。
そして、請求項６記載のホルダーは、請求項４記載のホルダーと同じ作用を有する。
【手続補正８】
【補正対象書類名】明細書
【補正対象項目名】００２３
【補正方法】変更
【補正の内容】
【００２３】
請求項４記載の発明は、請求項１乃至請求項３のいずれか１項に記載のホルダー掛止タブを少なくとも１つ備えたホルダーであり、その効果は請求項１記載の発明における従来公知のホルダーに請求項１乃至請求項３のいずれか１項に記載のホルダー掛止タブを取設したものと同じである。
また、請求項４記載の発明においてホルダー掛止タブは、インデックスとしても使用することができる。
【手続補正９】
【補正対象書類名】明細書
【補正対象項目名】００２５
【補正方法】変更
【補正の内容】
【００２５】
請求項６記載の発明は、請求項１乃至請求項３のいずれか１項に記載のホルダー掛止タブと同じ機能を有するものがホルダーの外縁に一体に設けられたものであり、その効果は請求項１記載の発明における従来公知のホルダーに請求項１乃至請求項３のいずれか１項に記載のホルダー掛止タブを取設したものと同じである。
また、請求項６記載の発明においてホルダー掛止タブは、インデックスとしても使用することができる。